(57)【要約】  【課題】  高温多湿な空気中の水分を再利用することができる集合住宅の浴室換気装置を提供する。  【解決手段】  集合住宅の浴室換気装置１は、集合住宅２０の各浴室２２から排気される空気中に含まれる水分を凝縮させながら凝縮水を集める凝縮水収集管路２と、前記凝縮水収集管路２によって集められた前記凝縮水を貯留する貯留タンク３を備える。【選択図】  図１
2018028406.tif 000002
【特許請求の範囲】
【請求項１】
集合住宅の各浴室から排気される空気中に含まれる水分を凝縮させながら凝縮水を集める凝縮水収集管路と、前記凝縮水収集管路によって集められた前記凝縮水を貯留する貯留タンクとを備えることを特徴とする、集合住宅の浴室換気装置。
【請求項２】
前記凝縮水収集管路は、前記集合住宅のそれぞれの浴室の換気設備の排気口に接続されていることを特徴とする、請求項１に記載の集合住宅の浴室換気装置。
【請求項３】
前記凝縮水収集管路は、前記管路の途中に凝縮水を集める中間収集部と、前記中間収集部と前記貯留タンクとを接続するバイパス管路とで構成された分離機構を備えることを特徴とする、請求項１又は２に記載の集合住宅の浴室換気装置。
【発明の詳細な説明】
【技術分野】
【０００１】
本発明は、集合住宅の浴室から排気される排気中に含まれる水分を有効に利用することができる集合住宅の浴室換気装置に関する。
【背景技術】
【０００２】
近年の住宅では、家屋内の気密化が優れているため室内が湿気やすく、浴室内の防カビ対策のために浴室乾燥も可能な高機能の換気設備が広く普及している。このような浴室からの排気は、比較的高温高湿であり、排気中には多量の水分を含んでいる。
【０００３】
従来、空気中の水分を凝縮させた凝縮水を利用する方法については、種々提案されている。例えば、特許文献１（実用新案登録第３１４６５３９号公報）には、エアコンの室内機から排出されるドレン水を室外機の背面側に設けた冷却シートに分散させ、室外機自体が行う送風機能を利用して外気が冷却シート通過させるようにすることで、エアコン室外機に流入する風邪の温度を下げることで、熱交換能力の向上を達成させることで消費電力の減少を促進する装置が開示されている。
【先行技術文献】
【特許文献】
【０００４】
【特許文献１】実用新案登録第３１８４５０２号公報
【発明の概要】
【発明が解決しようとする課題】
【０００５】
しかし、特許文献１は、凝縮した状態で排出される空気中に含まれる水分の再利用については開示されているものの、空気中に存在する水分の再利用については何ら開示されていない。一方でエアコンから排出される程度のドレン水では、実質的な利用に供する程度まで収集することは難しく、再利用は実質的に困難である。
【０００６】
したがって、本発明が解決しようとする技術的課題は、集合住宅の浴室排気など、高温多湿な空気中の水分を再利用することができる集合住宅の浴室換気装置を提供することである。
【課題を解決するための手段】
【０００７】
本発明は、上記技術的課題を解決するために、以下の構成の集合住宅の浴室換気装置を提供する。
【０００８】
本発明の集合住宅の浴室換気装置は、集合住宅の各浴室から排気される空気中に含まれる水分を凝縮させながら凝縮水を集める凝縮水収集管路と、前記凝縮水収集管路によって集められた前記凝縮水を貯留する貯留タンクとを備えることを特徴とする。
【０００９】
また、前記凝縮水収集管路は、前記集合住宅のそれぞれの浴室の換気設備の排気口に接続されていることが好ましい。
【００１０】
また、前記凝縮水収集管路は、前記管路の途中に凝縮水を集める中間収集部と、前記中間収集部と前記貯留タンクとを接続するバイパス管路とで構成された分離機構を備えることで、凝縮水をより確実に貯留タンクに送ることができる。
【発明の効果】
【００１１】
本発明に係る集合住宅の浴室換気装置によれば、集合住宅の浴室など高温多湿の排気を凝縮水収集管路に通すことで、搬送中に排気が冷却され空気中の水分を液体に凝縮させることができる。また、集合住宅の浴室は、共通した構成の浴室設備であることが多く、これらの設備へ接続を比較的容易に行うことができる。さらに、個々の住宅からの凝縮水が少量であっても、集合住宅全体では、相当量の凝縮水を貯留タンクに貯留することができるため、再利用可能な凝縮水を収集することができる。
【図面の簡単な説明】
【００１２】
【図１】本発明の実施形態にかかる集合住宅の浴室換気装置の構成を示す模式図である。
【図２】図１の集合住宅の浴室の構成を示す模式図である。
【図３】図１の集合住宅の浴室換気装置の凝縮水収集管路に設けられる分離機構の構成例を示す模式図である。
【発明を実施するための形態】
【００１３】
以下、本発明の一実施形態に係る集合住宅の浴室換気装置について、図面を参照しながら説明する。
【００１４】
図１は、本発明の実施形態にかかる集合住宅の浴室換気装置の構成を示す模式図である。図２は、図１の集合住宅の浴室の構成を示す模式図である。図１に示すように、本発明に係る集合住宅の浴室換気装置１は、集合住宅の浴室２２に設けられた換気設備２３からの排気中に含まれる水分を凝縮させて集め、貯留タンク３に貯留することで、当該凝縮水を再利用可能としたものである。
【００１５】
本実施形態にかかる凝縮水貯留装置１が設けられる集合住宅２０は、マンションや長屋など、棟内に同じような構造の住宅２１が複数つながっているものであることが好ましい。当該集合住宅は、建物の構造が共通していることが多く、本実施形態が設けられる浴室２２の換気設備２３も共通した構造であることが多い。
【００１６】
また、これらの集合住宅は、気密性に優れたものが多く、浴室内のカビの発生を抑えるために、十分な換気能力を有する換気設備２３が備えられている。
【００１７】
集合住宅の浴室換気装置１は、浴室２２に設けられている換気扇や浴室乾燥設備などの換気設備２３の排気口２３ａに接続された凝縮水収集管路２と、当該凝縮された水分を貯留する貯留タンク３とを備える。凝縮水収集管路２は、パイプを組み合わせて構成された管路であり、排気中の水分を凝縮させながら、排気を貯留タンク３に送る。それぞれの住宅２１の換気設備２３に接続された凝縮水収集管路２は、それぞれ独立して又は、複数本のパイプが統合して、１つの貯留タンク３に接続される。
【００１８】
凝縮水収集管路２は、例えば、金属等で構成されており、例えば、耐腐食性に優れたステンレスなどを用いることができる。
【００１９】
また、凝縮水収集管路２は、換気設備２３などから排気される高温の排気が十分に冷却できる程度の長さを確保するために、蛇行部分を備えていてもよい。凝縮水収集管路２を通過する排気は、外気などにより外側から冷却され、排気中の水分が凝縮して液体の水として取り出される。
【００２０】
また、凝縮水収集管路２は、凝縮水と排気とを分離して、凝縮水のみを貯留タンク３内に送ることができるように、管路の途中に適宜分離機構４を設けることが好ましい。分離機構４としては、例えば、図３に示すようにパイプの内壁に結露した凝縮水１０が重力によりパイプ内の特定箇所に集まるように管路の底壁を湾曲させて構成された中間収集部５と、当該中間収集部と貯留タンクとの間に当該集められた凝縮水を通すバイパス管路６により構成することができる。
【００２１】
分離機構４は、貯留タンク３よりも上位に配置され、凝縮水１０がバイパス管路６を通って貯留タンク３に自然落下させるようにしてもよい。また、凝縮水収集管路２内を流動する排気の管内圧力により、凝縮液１０がバイパス管路６通過しやすくすることができる。
【００２２】
なお、凝縮水収集管路２は、より多くの水分を凝縮するための冷却装置や、凝縮水を貯留タンク３に送るためのポンプなどを備えていてもよい。
【００２３】
貯留タンク３は、凝縮水収集管路２により排気中から分離された凝縮水を集めて貯留するタンクであり、凝縮水収集管路２から貯留タンク内送られた排気を外部に逃がすための排気口３ａ及び貯留した凝縮水を外部に排出するための吐出口３ｂが設けられている。貯留タンク３は、金属、樹脂などの材料で作成することができる。また、貯留タンク３は、凝縮水収集管路２からの凝縮水が自然落下するように、凝縮水収集管路よりも低い位置に設けることが好ましい。
【００２４】
貯留タンク３に溜まった凝縮水は、吐出口３ｂから図示しないポンプなどで汲み出し、例えば、集合住宅の共用スペースにおいて、植物への散水や清掃など種々の用途に再利用することができる。
【００２５】
以上説明したように、本実施形態にかかる集合住宅の浴室換気装置１によれば、集合住宅の浴室など高温多湿の排気を凝縮水収集管路に通すことで、搬送中に排気が冷却されて空気中の水分を液体に凝縮させることができる。個々の住宅からの凝縮水が少量であっても、集合住宅であれば相当量の凝縮水を貯留タンクに貯留することができるため、再利用可能な分量の凝縮水を貯留することができる。
【００２６】
なお、本発明は上記実施形態に限定されるものではなく、その他種々の態様で実施可能である。例えば、上記実施形態では、集合住宅の浴室の換気設備に接続された凝縮水収集管路を統合して１つの貯留タンクに凝縮水を貯留する構成としたが、貯留タンクを複数設けることも可能である。
【符号の説明】
【００２７】
１  浴室換気装置
２  凝縮水収集管路
３  貯留タンク
４  分離機構
５  中間収集部
６  バイパス管路
１０  凝縮水
２０  集合住宅
２１  住宅
２２  浴室
２３  換気設備
２３ａ  排気口
【図１】
2018028406.tif 000003
【図２】
2018028406.tif 000004
【図３】
2018028406.tif 000005